(57)【要約】【課題】使用しない負荷への電力供給を遠隔操作により一度に簡単に遮断して、効果的な待機電力の削減を実現する。【解決手段】商用電源１からの入力電圧を、分岐回路を構成する複数の給電ライン２１ａ〜２１ｃに分配して、各給電ライン２１ａ〜２１ｃに従属する負荷Ｚａ〜Ｚｃに電力を供給する。また各給電ライン２１ａ〜２１ｃに過電流保護用の配線用遮断器２２ａ〜２２ｃをそれぞれ接続する。このような分電盤システムにおいて、前記配電用遮断器２２ａ〜２２ｃの入力側の給電ライン２１ａ，２１ｂに接続される開閉スイッチ５９ａ，５９ｂと、外部端末３２からの遠隔操作により開閉スイッチ５９ａ，５９ｂをオンまたはオフに切換える電力供給制御手段６４とを備えている。【選択図】      図１
2004187424.tif 000002
【特許請求の範囲】
【請求項１】
商用電源からの入力電圧を、分岐回路を構成する複数の給電ラインに分配して、各給電ラインに従属する負荷に電力を供給すると共に、前記各給電ラインに過電流保護用の配線用遮断器をそれぞれ接続した分電盤システムにおいて、前記配電用遮断器の入力側の前記給電ラインに接続される開閉スイッチと、外部端末からの遠隔操作により前記開閉スイッチをオンまたはオフに切換える電力供給制御手段とを備えたことを特徴とする分電盤システム。
【請求項２】
前記入力電圧の低下若しくは停電時に、負荷に電力を供給するバックアップ手段をさらに備えたことを特徴とする請求項１記載の分電盤システム。
【請求項３】
前記分岐回路は、第１の分岐回路と第２の分岐回路とにより構成され、前記第１の分岐回路と前記第２の分岐回路の各給電ラインにそれぞれ前記開閉スイッチを接続すると共に、前記バックアップ手段は、前記入力電圧の低下若しくは停電時に、前記第２の分岐回路の給電ラインに従属する負荷にのみ電力を供給するものであることを特徴とする請求項２記載の分電盤システム。
【請求項４】
前記分岐回路は、第１の分岐回路と第２の分岐回路と第３の分岐回路とにより構成され、前記第１の分岐回路と前記第２の分岐回路の各給電ラインにのみそれぞれ前記開閉スイッチを接続すると共に、前記バックアップ手段は、前記入力電圧の低下若しくは停電時に、前記第２の分岐回路の給電ラインに従属する負荷にのみ電力を供給するものであることを特徴とする請求項２記載の分電盤システム。
【請求項５】
前記電力供給制御手段は、前記第１の分岐回路の給電ラインに接続する前記開閉スイッチと、前記第２の分岐回路の給電ラインに接続する前記開閉スイッチを、それぞれ独立してオンまたはオフに切換えるものであることを特徴とする請求項３または４記載の分電盤システム。
【発明の詳細な説明】
【０００１】
【発明の属する技術分野】
本発明は、給電ラインに接続した負荷にそれぞれ電力を分配供給する分電盤システムに関する。
【０００２】
【従来の技術】
従来、住宅などにおいて、各部屋の負荷に電気を分配する技術として、例えば特許文献１に開示されるように、ブレーカ機能を備えたいわゆる分電盤から、配線ケーブルを次々に直列的に巡るように敷設する電気配線分配ユニットが知られている。ここで使用する分電盤は、例えば特許文献２に開示されるように、商用電源からの入力電圧を、分岐回路を構成する複数の給電ラインに分配して、各給電ラインに接続する低圧負荷に電力を供給するもので、具体的には、契約以上の電流が流れると自動的に電力供給路を遮断するサービスブレーカ（電流制限器）と、配線や負荷の漏電をすばやく感知して自動的に電力供給路を遮断する漏電遮断器と、各部屋へ電力を供給する給電ラインのそれぞれに取り付けられ、過電流が流れた各々の給電ラインを電力供給路から直ちに切り離す過電流保護用の配線用遮断器とを順に接続し、これらを分岐回路と共に本体に収容して構成される。
【０００３】
一方、分岐回路を構成する給電ラインからの電力供給を受ける負荷は、例えば電源プラグなどを備えて給電ラインに設けたコンセントに着脱可能に接続される。例えば特許文献３などには、こうした負荷に対する遠隔制御の技術として、携帯端末のＷＷＷブラウザ機能を利用して、遠隔制御しようとする負荷としてのＶＴＲの必要な機構を制御し、その制御結果を携帯端末に送り返す家電機器遠隔制御システムが開示されている。
【０００４】
【特許文献１】
特開２０００−２０９７１６号公報
【特許文献２】
特開２０００−１８８８０５号公報
【特許文献３】
特開２００１−３３１３９４号公報
【０００５】
【発明が解決しようとする課題】
上記特許文献３に示す遠隔制御システムでは、外出先から例えば電源のオン／オフや、予約録画の設定／設定解除などを遠隔操作することができるが、テレビやエアコンのような電源オフ時にも待機電力を消費する負荷では、負荷を直接遠隔制御できるシステムがあっても、待機電力のオン／オフ制御まではできない。そのため、このような遠隔制御システムの有る無しに拘らず、使用しない全ての負荷について、使用者が電源プラグをコンセントから外すなどして、負荷と給電ラインとの間を予め切り離しておかなければ、効果的な待機電力の削減を図ることができなかった。
【０００６】
本発明は上記問題点に鑑み、遠隔操作によって、使用しない負荷への電力供給を一度に遮断して、効果的な待機電力の削減を実現することができる分電盤システムを提供することを目的とする。
【課題を解決するための手段】
請求項１の発明は、前記目的を達成するために、商用電源からの入力電圧を、分岐回路を構成する複数の給電ラインに分配して、各給電ラインに従属する負荷に電力を供給すると共に、前記各給電ラインに過電流保護用の配線用遮断器をそれぞれ接続した分電盤システムにおいて、前記配電用遮断器の入力側の前記給電ラインに接続される開閉スイッチと、外部端末からの遠隔操作により前記開閉スイッチをオンまたはオフに切換える電力供給制御手段とを備えている。
【０００７】
このようにすると、少なくとも開閉スイッチを接続した給電ラインについて、外部端末からの遠隔操作により、開閉スイッチをオンまたはオフに切換えることで、その給電ラインに従属する全ての負荷に対し、商用電源からの電力を供給または遮断することができる。したがって、使用者が予め各負荷の電源プラグをコンセントから外さなくても、使用しない負荷への電力供給を遠隔操作により一度に簡単に遮断することができ、効果的な待機電力の削減を実現することができる。また、既存の分電盤システムに対して、待機電力の削減機能が付加されることから、複合分電盤としての利用価値を高めることができる。
【０００８】
請求項２の発明は、前記入力電圧の低下若しくは停電時に、負荷に電力を供給するバックアップ手段をさらに備ている。
【０００９】
このようにすると、入力電圧が低下若しくは停電しても、バックアップ手段から負荷に対し引き続き電力供給を行なうことができる。したがって、分電盤システムとして、入力電圧の低下若しくは停電時に、負荷に対するバックアップを実現することができる。
【００１０】
請求項３の発明は、前記分岐回路が、第１の分岐回路と第２の分岐回路とにより構成され、前記第１の分岐回路と前記第２の分岐回路の各給電ラインにそれぞれ前記開閉スイッチを接続すると共に、前記バックアップ手段は、前記入力電圧の低下若しくは停電時に、前記第２の分岐回路の給電ラインに従属する負荷にのみ電力を供給するように構成している。
【００１１】
この場合、例えばパソコンやＶＴＲのような入力電圧の低下時や停電時にバックアップを必要とする負荷を、第２の分岐回路の給電ラインに接続し、それ以外の負荷を第１の分岐回路の給電ラインに接続しておけば、これらの全ての負荷に対し、商用電源からの電力を供給または遮断することができると共に、少なくとも入力電圧が低下したり停電したときに、第２の分岐回路の給電ラインに従属する負荷は、バックアップ手段から負荷に対し引き続き電力供給を行なうことができる。したがって、それぞれの負荷に相応しい最適な電力供給の形態を分電盤システムで実現することができる。
【００１２】
請求項４の発明は、前記分岐回路が、第１の分岐回路と第２の分岐回路と第３の分岐回路とにより構成され、前記第１の分岐回路と前記第２の分岐回路の各給電ラインにのみそれぞれ前記開閉スイッチを接続すると共に、前記バックアップ手段は、前記入力電圧の低下若しくは停電時に、前記第２の分岐回路の給電ラインに従属する負荷にのみ電力を供給するように構成している。
【００１３】
この場合、例えばパソコンやＶＴＲのような入力電圧の低下時や停電時にバックアップを必要とする負荷を、第２の分岐回路の給電ラインに接続し、それ以外の負荷を第１の分岐回路の給電ラインに接続しておけば、これらの給電ラインに接続する全ての負荷に対し、商用電源からの電力を供給または遮断することができると共に、少なくとも入力電圧が低下したり停電したときに、第２の分岐回路の給電ラインに従属する負荷は、バックアップ手段から負荷に対し引き続き電力供給を行なうことができる。さらに、冷蔵庫のようなバックアップをさほど必要とせず、常時電源をオンしておく負荷は、第３の分岐回路の給電ラインに接続しておけば、必要以上に分電盤システムが複雑にならず、それぞれの負荷により相応しい最適な電力供給の形態を分電盤システムで実現することができる。
【００１４】
請求項５の発明は、前記電力供給制御手段が、前記第１の分岐回路の給電ラインに接続する前記開閉スイッチと、前記第２の分岐回路に給電ラインに接続する前記開閉スイッチを、それぞれ独立してオンまたはオフに切換えるものであることを特徴とする。
【００１５】
このようにすると、第１の分岐回路の給電ラインに従属する負荷と、第２の分岐回路の給電ラインに従属する負荷に対し、それぞれ独自に電力を供給したり遮断したりすることができる。
【００１６】
【発明の実施形態】
以下、本発明の分電盤システムの実施形態について、添付図面を参照しながら説明する。図１はシステムの全体構成を示すもので、１は電力会社から供給される例えば単相交流１００Ｖの商用電源、２は電力会社が契約電力に基づき各住宅毎の引込線３に設置するサービスブレーカで、このサービスブレーカ２を通して分電盤システムの本体部４に商用電力が与えられるようになっている。なお、本実施例ではサービスブレーカ２を本体部４と別個に設けているが、本体部４内にサービスブレーカ２を組み込んでもよい。また、ここでは住宅用の分電盤システムを想定しているが、産業用の場合にはサービスブレーカ２の後段に別のブレーカを組み込んでもよい。
【００１７】
本体部４は、分電盤本来の機能構成として、漏電を検知したときに引込線３からの電力供給を遮断する漏電遮断器５と、前記商用電源１からの電力を分配する複数の分岐回路を備えている。具体的には、テレビやエアコンなどの未使用時においても待機電力を消費する第１の負荷Ｚａが接続される第１の分岐回路１１と、パーソナルコンピュータ（パソコン）やＶＴＲなどの瞬時停電時にバックアップを必要とする第２の負荷（バックアップを行ないたい負荷も含む）Ｚｂが接続される第２の分岐回路１２と、冷蔵庫などの常時電源をオンしておくことが望ましい第３の負荷Ｚｃが接続される第３の分岐回路１３とにより、前述の複数の分岐回路を構成している。
【００１８】
第１の分岐回路１１は、一乃至複数の給電ライン２１ａと、それぞれの給電ライン２１ａの途中に設けられ、過電流が流れたときにその給電ライン２１ａを直ちに切り離す配線用遮断器２２ａと、本体部４から引き出された給電ライン２１ａに一乃至複数個取付けられる接続部としてのコンセント２３ａとを備えて構成される。同様に、第２の分岐回路１２は、一乃至複数の給電ライン２１ｂ，配線用遮断器２２ｂ，およびコンセント２３ｂとを備えて構成され、第３の分岐回路１２は、一乃至複数の給電ライン２１ｃ，配線用遮断器２２ｃ，およびコンセント２３ｃとを備えて構成される。
【００１９】
３１は、本発明において新規な構成となる多機能バックアップ手段で、これは配線用遮断器２２ａ，２２ｂより入力側（商用電源１側）の、第１の分岐回路１１および第２の分岐回路１２の給電ライン２１ａ，２１ｂ間に挿入接続される。この多機能バックアップ手段３１の詳細な構成は後程詳しく説明するが、これはパソコン，携帯電話，固定電話機などの外部端末３２から、通信手段３３を利用して遠隔操作ができるように構成されている。また３４は、多機能バックアップ手段３１と共に分電盤システムの本体部４に組み込まれた制御回路であり、これは図１の破線で示されるように、多機能バックアップ手段３１や各配線用遮断器２２ａ〜２２ｃを操作部（図示せず）により制御しつつ、これらの各部の状態を表示部（図示せず）にて表示する機能を備えている。これにより、多機能バックアップ手段３１や各配線用遮断器２２ａ〜２２ｃの状態を、本体部４に設けた制御回路３４の表示部で直接確認できる。なお、前記通信手段３３による遠隔操作の具体的な実現手段は特に限定しないが、例えばインターネットや、ＬＡＮ（ｌｏｃａｌ  ａｒｅａ  ｎｅｔｗｏｒｋ）、あるいは商用電源１の入力電圧に制御信号を重畳させる電力通信などを利用できる。
【００２０】
次に、多機能バックアップ手段３１の機能的な構成を、図２のブロック図に基づき説明する。同図において、この多機能バックアップ手段３１は、漏電遮断器５の出力側から延びる電力供給ラインの末端に接続する供給端子４１に対応して、商用電源１からの入力電圧を印加するための入力端子４２が設けられ、また第１の分岐回路１１の各給電ライン２１ａの基端側にある接続端子４３ａと、第２の分岐回路１２の各給電ライン２１ｂの基端側にある接続端子４３ｂに対応して、所望の出力電圧を負荷Ｚａ，Ｚｂに供給するためのセグメント出力端子４４ａ，４４ｂが設けられる。これにより、外観上は箱状の独立したモジュール体からなる多機能バックアップ手段３１が、供給端子４１と入力端子４２、および接続端子４３ａ，４３ｂとセグメント出力端子４４ａ，４４ｂの着脱だけで、本体部４に対し簡単に取付けおよび取外しを行なうことができる。また多機能バックアップ手段３１を必要としない既存の分電盤とするには、この多機能バックアップ手段３１を外した状態で、供給端子４１と接続端子４３ａ，４３ｂとを接続すればよい。
【００２１】
多機能バックアップ手段３１内部の電気的構成を説明すると、商用電源１からの交流入力電圧を直接的に負荷Ｚａや負荷Ｚｂに供給するためのバイパスライン４５が、入力端子４２と交流切換スイッチ４６の一方の入力端子との間に設けられる。また、このバイパスライン４５とは別に、安定化した交流電圧を負荷Ｚｂに供給するために、商用電源１からの交流入力電圧を整流して直流電圧に変換するＡＣ／ＤＣ変換器としての整流器４７と、整流器４７若しくは後述するバッテリ５１からの直流電圧を交流に変換するＤＣ／ＡＣ変換器としてのインバータ４８との直列回路が、入力端子４２と交流切換スイッチ４６の他方の入力端子との間に設けられる。交流切換スイッチ４６は、第２の分岐回路１２に従属する負荷Ｚｂへの給電を切換えるためのもので、交流切換スイッチ４６の接点を一方の入力端子に接続すると、商用電源１からの交流入力電圧が、そのまま交流切換スイッチ４６を通して負荷Ｚｂに送られる。また、交流切換スイッチ４６の接点を他方の入力端子に接続すると、インバータ４８からの交流電圧が交流切換スイッチ４６を通して負荷に送られるようになっている。
【００２２】
５１は停電バックアップ手段としてのバッテリで、これは鉛電池やリチウムイオン電池のような二次電池の他に、ディーゼルエンジンを備えた発電機であってもよく、第２の分岐回路１２に従属する負荷Ｚｂに応じて、バッテリ５１の容量を決定すればよい。バッテリ５１を充電するために、商用電源１からの交流入力電圧を直流電圧に変換してバッテリ５１に供給する充電器５２が、商用電源１とバッテリ５１との間に接続される。また、前記整流器４７からインバータ４８に至る直流電圧ライン５３と、充電器５２からバッテリ５１に至る直流電圧ライン５４との間には、交流入力電圧の正常時と停電時において接点が切換わる直流切換スイッチ５５が接続される。
【００２３】
前記バイパスライン４５と一方のセグメント出力端子４４ａとの間は接続ライン５８ａで繋がれていて、各セグメント出力端子４４ａに対応して開閉スイッチ５９ａが設けられている。また、交流切換スイッチ４６と他方のセグメント出力端子４４ｂとの間も別の接続ライン５８ｂで繋がれていて、各セグメント出力端子４４ｂに対応して開閉スイッチ５９ｂが設けられている。これらの開閉スイッチ５９ａ，５９ｂは、それぞれ独立して別々にオンまたはオフに切換わるようになっており、開閉スイッチ５９ａをオフにすると、第１の分岐回路１１に従属する全ての負荷Ｚａへの電力供給が遮断され、開閉スイッチ５９ｂをオフにすると、第２の分岐回路１２に従属する全ての負荷Ｚｂへの電力供給が遮断される。
【００２４】
６１は、多機能バックアップ手段３１の制御手段で、これは内蔵する制御プログラムのシーケンスにしたがって、多機能バックアップ手段３１の各部の制御を実行処理するものである。また６２は、外部端末３２と送受信を行なうための送受信部で、例えばモデムなどがこれに相当する。外部端末３２から通信手段３３を通して送られる操作信号は送受信部６２で受信され、制御手段６１にディジタル信号として送出される。なお制御手段６１は、分電盤システムの本体部４に設けられた別の制御回路３４に対しても、直接的に信号のやり取りを行なえるようになっている。
【００２５】
前記制御手段６１は、ソフトウェア上の機能的構成として、整流器４７からの整流出力に基づき、商用電源１からの入力電圧の低下を常時監視し、入力電圧が低下若しくは遮断したら、交流交流交流切換スイッチ４６および直流切換スイッチ５５に切換信号を出力して、第２の分岐回路１２に対しバッテリ５１を電源とした電力供給に切換えるバックアップ制御手段６３と、外部端末３２または制御回路３４からのオン／オフ指示信号を受けて、開閉スイッチ５９ａ，５９ｂのオン／オフを個々に切換えると共に、内蔵する計時手段を利用して、この開閉スイッチ５９ａ，５９ｂのオン／オフ動作に優先順序をもたせたり、指定した日時に開閉スイッチ５９ａ，５９ｂのオン／オフさせるなどして、第１の分岐回路１１や第２の分岐回路１２への電力供給を制御する電力供給制御手段６４と、制御手段６１で取得できるあらゆる情報、すなわち停電，復電，負荷Ｚａや負荷Ｚｂへの電力供給の有無などの各種イベント情報や、入力電圧，出力電圧，バッテリ５１の充電電圧（バッテリ電圧），出力周波数，出力負荷電力などの計測値情報の履歴を記録して、必要に応じて外部端末３２や制御回路３４に、こうしたイベント情報や計測値情報を配信する履歴記録手段６５とを備えている。
【００２６】
次に、上記構成についてその作用を説明する。多機能バックアップ手段３１の各種機能を利用するには、まず分電盤システムの本体部４にモジュール化した多機能バックアップ手段３１を組み込み、多機能バックアップ手段３１の入力端子４２および接続端子４３ａ，４３ｂを、供給端子４１とセグメント出力端子４４ａ，４４ｂにそれぞれ接続する。その後で、サービスブレーカ２を手動でオンにすると、商用電源１からの入力電圧が分電盤システムの本体部４に供給される。これにより多機能バックアップ手段３１が接続されていない第３の分岐回路１３は、給電ライン２１ｃに入力電圧がそのまま印加され、給電ライン２１ｃのコンセント２３ｃに接続す冷蔵庫などの負荷Ｚｃに常時電力が供給される。
【００２７】
因みに、第３の分岐回路１３は入力電圧がそのまま印加されるため、例えば商用電源１が停電すると、従属する負荷Ｚｃへの電力供給も直ちに遮断されるが、冷蔵庫のような負荷Ｚｃでは、短時間の停電で実用上の支障を来たすことは殆どない。しかも、こうした冷蔵庫のような負荷Ｚｃは、そもそも頻繁に電源をオン／オフする必要がないので、わざわざ遠隔操作で電力供給をオン／オフさせなくてもよい。よって、こうした負荷Ｚｃに対して、多機能バックアップ手段３１を介在しない専用の第３の分岐回路１３を設けておけば、必要以上に分電盤システムが複雑にならず、負荷Ｚｃに相応しい電力供給の形態を形成できる。
【００２８】
一方、多機能バックアップ手段３１が介在する第１の分岐回路１１や第２の分岐回路１２の動作について説明すると、制御手段６１は、外部端末３２や制御回路３４から、開閉スイッチ５９ａ，５９ｂをオフにする指示信号を受信しない限り、これらの開閉スイッチ５９ａ，５９ｂをオン状態にしている。そのため、第１の分岐回路１１の各給電ライン２１ａからテレビやエアコンなどの負荷Ｚａに、商用電源１からの入力電圧がそのまま供給される。
【００２９】
また、多機能バックアップ手段３１のバックアップ制御手段６３は、整流器４７の整流出力を監視して、商用電源１からの入力電圧が通常の電圧レベルであれば、直流切換スイッチ５５をオフにして、入力電圧をそのまま第２の分岐回路１２の各給電ライン２１ｂに接続する負荷Ｚｂに供給するか、さもなければ図２の実線矢印で示すように、交流入力電圧を整流器４７により整流して直流電圧に変換し、この直流電圧をインバータ４８で安定した交流電圧に変換して負荷Ｚｂに供給する。それと共に、前記交流入力電圧を充電器５２により直流電圧に変換してバッテリ５１に供給し、バッテリ５１を充電させる。一方、交流入力電圧が例えば停電などで所定の電圧レベルを下回ると、直流切換スイッチ５５をオンに切換え、図２の点線矢印で示すように、バッテリ１１からの直流電圧をインバータ５により安定した交流電圧に変換して、この交流電圧を負荷Ｚｂに供給する。
【００３０】
また、使用しない負荷Ｚａ，Ｚｂへの電力供給を遮断する場合には、外部端末３２または制御回路３４からの入力操作により、開閉スイッチ５９ａ，５９ｂをオフにする指示信号を多機能バックアップ手段３１に送出する。多機能バックアップ手段３１の電力供給制御手段６４は、この指示信号を受けて直ちに開閉スイッチ５９ａ，５９ｂをオフにする。例えば、外出先などで、外部端末３２から開閉スイッチ５９ａをオフにする指示信号を送信すると、給電ライン２１ａに接続する開閉スイッチ５９ａがオフに切換わり、この給電ライン２１ａに接続する全ての負荷Ｚａへの電力供給が遮断される。この場合、各負荷Ｚａの電源をオン／オフ制御するのではなく、各負荷Ｚａに対する給電をオン／オフ制御するので、給電ライン２１ａに従属する各負荷Ｚａの消費電力は全て零になり、待機電力の削減が図られる。これは、開閉スイッチ５９ｂをオフした場合の負荷Ｚｂに対しても同じである。また外出先で、電源の切り忘れに気づいた場合でも、負荷Ｚａ，Ｚｂに対する給電そのものが遮断されるので、電源のオン／オフを遠隔制御するものよりも安全性が高い。
【００３１】
また、ここでの電力供給制御手段６４は、いわゆるタイマー動作により開閉スイッチ５９ａ，５９ｂのオン／オフを設定した予約時間に切換えることができる。例えば、外出する時間帯に開閉スイッチ５９ａ，５９ｂの一方または両方をオフするように予約時間を設定してもよい。こうした予約時間やオン／オフ動作の設定や、設定解除は、いずれも外部端末３２や制御回路３４からの操作入力により行なうことができる。
【００３２】
さらに、例えば開閉スイッチ５９ａ，５９ｂを同時にオンした場合に、給電ライン２１ａ，２１ｂに従属する全ての負荷Ｚａ，Ｚｂに電流が急激に流れ込んで、配線用遮断器２２ａ，２２ｂが動作するのを防止するために、本実施例では外部端末３２や制御回路３４からの操作入力により、電力供給制御手段６４が開閉スイッチ５９ａ，５９ｂのオン／オフ動作の順序を設定できるように構成している。このようにすれば、開閉スイッチ５９ａ，５９ｂのオンタイミングを意図的にずらすことで、配線用遮断器２２ａ，２２ｂが動作する不具合を防止することができる。
【００３３】
以上のように本実施例によれば、商用電源１からの入力電圧を、分岐回路を構成する複数の給電ライン２１ａ〜２１ｃに分配して、各給電ライン２１ａ〜２１ｃに従属する負荷Ｚａ〜Ｚｃに電力を供給すると共に、各給電ライン２１ａ〜２１ｃに過電流保護用の配線用遮断器２２ａ〜２２ｃをそれぞれ接続した分電盤システムにおいて、前記配電用遮断器２２ａ〜２２ｃの入力側の給電ライン２１ａ，２１ｂに接続される開閉スイッチ５９ａ，５９ｂと、外部端末３２からの遠隔操作により開閉スイッチ５９ａ，５９ｂをオンまたはオフに切換える電力供給制御手段６４とを備えている。
【００３４】
このようにすると、少なくとも開閉スイッチ５９ａ，５９ｂを接続した給電ライン２１ａ，２１ｂについて、外部端末３２からの遠隔操作により、開閉スイッチ５９ａ，５９ｂをオンまたはオフに切換えることで、その給電ライン２１ａ，２１ｂに従属する全ての負荷Ｚａ，Ｚｂに対し、商用電源１からの電力を供給または遮断することができる。したがって、使用者が予め各負荷Ｚａ，Ｚｂの電源プラグをコンセント２３ａ，２３ｂから外さなくても、使用しない負荷Ｚａ，Ｚｂへの電力供給を遠隔操作により一度に簡単に遮断することができ、効果的な待機電力の削減を実現することができる。また、既存の分電盤システムに対して、待機電力の削減機能が付加されることから、複合分電盤としての利用価値を高めることができる。
【００３５】
また本実施例では、入力電圧の低下若しくは停電時に、負荷Ｚｂに電力を供給するバックアップ手段としてのバッテリ５１およびバックアップ制御手段６３をさらに備ている。
【００３６】
このようにすると、入力電圧が低下若しくは停電しても、バッテリ５１から負荷Ｚｂに対し引き続き電力供給を行なうことができる。したがって、分電盤システムとして、入力電圧の低下若しくは停電時に、負荷Ｚｂに対するバックアップを実現することができる。
【００３７】
また本実施例における分岐回路は、第１の分岐回路１１と第２の分岐回路１２とにより構成され、第１の分岐回路１１と第２の分岐回路１２の各給電ライン２１ａ，２１ｂにそれぞれ開閉スイッチ５９ａ，５９ｂを接続すると共に、バックアップ手段としてのバッテリ５１およびバックアップ制御手段６３は、入力電圧の低下若しくは停電時に、第２の分岐回路１２の給電ライン２１ｂに従属する負荷Ｚｂにのみ電力を供給するように構成している。
【００３８】
この場合、例えばパソコンやＶＴＲのような入力電圧の低下時や停電時にバックアップを必要とする負荷Ｚｂを、第２の分岐回路１２を構成する給電ライン２１ｂのコンセント２３ｂに接続し、それ以外の負荷Ｚａを第１の分岐回路１１を構成する給電ライン２１ａのコンセント２３ａに接続しておけば、これらの全ての負荷Ｚａ，Ｚｂに対し、商用電源１からの電力を供給または遮断することができると共に、少なくとも入力電圧が低下したり停電したときに、第２の分岐回路１２の給電ライン２１ｂに従属する負荷Ｚｂは、バッテリ５１から負荷Ｚｂに対し引き続き電力供給を行なうことができる。したがって、それぞれの負荷Ｚａ，Ｚｂに相応しい最適な電力供給の形態を分電盤システムで実現することができる。
【００３９】
また本実施例における分岐回路は、第１の分岐回路１１と第２の分岐回路１２と第３の分岐回路１３とにより構成され、第１の分岐回路１１と第２の分岐回路１２の２１ａ，２１ｂにのみ、それぞれ開閉スイッチ５９ａ，５９ｂを接続すると共に、バックアップ手段としてのバッテリ５１およびバックアップ制御手段６３は、入力電圧の低下若しくは停電時に、第２の分岐回路１２の給電ライン２１ｂに従属する負荷Ｚｂにのみ電力を供給し、第３の分岐回路１３には開閉スイッチやバックアップ手段を設けないように構成している。
【００４０】
この場合、例えばパソコンやＶＴＲのような入力電圧の低下時や停電時にバックアップを必要とする負荷Ｚｂを、第２の分岐回路１２の給電ライン２１ｂに接続し、それ以外の負荷Ｚａを第１の分岐回路１１の給電ライン２１ａに接続しておけば、これらの給電ライン２１ａ，２１ｂに接続する全ての負荷Ｚａ，Ｚｂに対し、商用電源１からの電力を供給または遮断することができると共に、少なくとも入力電圧が低下したり停電したときに、第２の分岐回路１２の給電ライン２１ｂに従属する負荷Ｚｂは、バッテリ５１から負荷Ｚｂに対し引き続き電力供給を行なうことができる。さらに、冷蔵庫のようなバックアップをさほど必要とせず、常時電源をオンしておく負荷Ｚｃは、第３の分岐回路１３の給電ライン２１ｃに接続しておけば、必要以上に分電盤システムが複雑にならず、それぞれの負荷Ｚａ〜Ｚｃに対し、より相応しい最適な電力供給の形態を分電盤システムで実現することができる。
【００４１】
さらに本実施例では、電力供給制御手段６４が、第１の分岐回路１１の給電ライン２１ａに接続する開閉スイッチ５９ａと、第２の分岐回路１２の給電ライン２１ｂに接続する開閉スイッチ５９ｂを、それぞれ独立してオンまたはオフに切換えるように構成している。
【００４２】
このようにすると、第１の分岐回路１１の給電ライン２１ａに従属する負荷Ｚａと、第２の分岐回路１２の給電ライン２１ｂに従属する負荷Ｚｂに対し、それぞれ独自に電力を供給したり遮断したりすることができる。
【００４３】
またこのような場合、それぞれの給電ライン２１ａ〜２１ｃに繋がるコンセント２３ａ〜２３ｃに、識別可能な表示部を形成するのが好ましい。例えば、給電ライン２１ａに接続する各コンセント２３ａはベージュに着色した表示部とし、給電ライン２１ｂに接続する各コンセント２３ｂは青に着色した表示部とし、給電ライン２１ｃに接続する各コンセント２３ｂは白に着色した表示部とする。その他、表示部は文字や記号によるものでもよい。このようにすれば、どのコンセント２３ａ〜２３ｃにどの負荷Ｚａ〜Ｚｃを接続すればよいのか一目で識別でき、使い勝手をより高めることができる。
【００４４】
また本実施例では、第１の分岐回路１１〜第３の分岐回路１３とともに、配線用遮断器２２ａ〜２２ｃを本体部４に収容した分電盤システムにおいて、前記バックアップ手段や電力供給制御手段６４，開閉スイッチ５９ａ，５９ｂをモジュール体である多機能バックアップ手段３１の内部に収納し、この多機能バックアップ手段３１を分電盤システムの本体部４に着脱可能に設けている。
【００４５】
このようにすれば、多機能バックアップ手段３１を本体部４に装着するだけで、既存の分電盤システムに対し、電力供給のバックアップ機能と外部操作による電力供給のオン／オフ機能を同時に付加することができる。
【００４６】
なお本発明は上記実施例に限定されるものではなく、本発明の要旨の範囲内で適宜変更が可能である。添付図面に示すシステムの構成や処理手順はあくまでも一例であり、様々な変形が可能なものである。
【００４７】
【発明の効果】
請求項１の発明によれば、使用しない負荷への電力供給を遠隔操作により一度に簡単に遮断することができ、効果的な待機電力の削減を実現することができる。また、分電盤システムとして、複合分電盤としての利用価値を高めることができる。
【００４８】
請求項２の発明によれば、分電盤システムとして、入力電圧の低下若しくは停電時に、負荷に対するバックアップを実現することができる。
【００４９】
請求項３の発明によれば、それぞれの負荷に相応しい最適な電力供給の形態を分電盤システムで実現することができる。
【００５０】
請求項４の発明によれば、必要以上に分電盤システムが複雑にならず、それぞれの負荷により相応しい最適な電力供給の形態を分電盤システムで実現することができる。
【００５１】
請求項５の発明によれば、第１の分岐回路の給電ラインと、第２の分岐回路の給電ラインにそれぞれ従属する負荷に対し、独自に電力を供給したり遮断したりすることができる。
【図面の簡単な説明】
【図１】本発明の一実施例における新規な分電盤システムの全体構成を示す概略説明図である。
【図２】同上、多機能バックアップ手段の内部構成を示すブロック図である。
【符号の説明】
１  商用電源
１１  第１の分岐回路（分岐回路）
１２  第２の分岐回路（分岐回路）
１３  第３の分岐回路（分岐回路）
２１ａ〜２１ｃ  給電ライン
２２ａ〜２２ｃ  配電用遮断器
３２  外部端末
５１  バッテリ（バックアップ手段）
５９ａ，５９ｂ  開閉スイッチ
６３  バックアップ制御手段（バックアップ手段）
６４  電力供給制御手段
【図１】
2004187424.tif 000003
【図２】
2004187424.tif 000004